【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
複数の従属局との通信にポーリングリストを用いてポーリングを行う制御局の制御方法であって、
前記複数の従属局の優先順位を判断する判断工程と、
前記判断工程において判断された優先順位に基づいた順に、前記制御局が管理する前記ポーリングリストに前記複数の従属局を登録する登録工程と、
前記登録工程において前記ポーリングリストに登録した順に従って前記制御局から前記複数の従属局にポーリングするポーリング工程と
を有することを特徴とする制御方法。
【請求項２】
前記複数の従属局の優先順位に応じて、前記制御局の制御から外れた従属局を前記ポーリングリストから削除する削除工程をさらに有することを特徴とする請求項１に記載の制御方法。
【請求項３】
前記削除工程は、優先順位が上位の従属局が前記制御局の制御から外れた場合であっても削除しないことを特徴とする請求項２に記載の制御方法。
【請求項４】
前記ポーリング工程は、前記ポーリングリストに登録された従属局の優先順位に応じて無競合期間の長さを設定し、当該従属局にポーリングすることを特徴とする請求項１乃至３の何れか１項に記載の制御方法。
【請求項５】
前記ポーリングリストに登録された従属局の優先順位が上位の局からポーリングを開始する無競合期間を大きくし、前記ポーリングリストに登録された従属局の優先順位が下位の局からポーリングを開始する無競合期間を小さく設定することを特徴とする請求項４に記載の制御方法。
【請求項６】
前記判断工程は、各従属局が前記制御局と接続している時間に基づいて前記優先順位を判断することを特徴とする請求項１乃至５の何れか１項に記載の制御方法。
【請求項７】
前記判断工程は、各従属局が前記制御局とのデータ伝送時間に基づいて前記優先順位を判断することを特徴とする請求項１乃至６の何れか１項に記載の制御方法。
【請求項８】
前記判断工程は、各従属局が特別なアドレス又はコードを所持しているか否かに基づいて前記優先順位を判断することを特徴とする請求項１乃至７の何れか１項に記載の制御方法。
【請求項９】
複数の従属局との通信にポーリングリストを用いてポーリングを行う制御局の制御方法であって、
前記複数の従属局の優先順位を判断する判断工程と、
前記判断工程において判断された優先順位に基づいて、無競合期間を設定する設定工程と、
前記設定工程において設定された期間に従って前記制御局から前記複数の従属局にポーリングするポーリング工程と
を有することを特徴とする制御方法。
【請求項１０】
複数の従属局との通信にポーリングを行う制御局の制御方法であって、
無競合期間に前記複数の従属局にポーリングを行った後の前記無競合期間の残り期間に、優先順位の高い従属局に対して再度ポーリングするポーリング工程を有することを特徴とする制御方法。
【請求項１１】
前記複数の従属局の優先順位に基づいて前記無競合期間を決定する決定工程をさらに有することを特徴とする請求項１０に記載の制御方法。
【請求項１２】
複数の従属局との通信にポーリングリストを用いてポーリングを行う制御局であって、
前記複数の従属局の優先順位を判断する判断手段と、
前記判断手段によって判断された優先順位に基づいた順に、前記制御局が管理する前記ポーリングリストに前記複数の従属局を登録する登録手段と、
前記登録手段によって前記ポーリングリストに登録した順に従って前記制御局から前記複数の従属局にポーリングするポーリング手段と
を備えることを特徴とする制御局。
【請求項１３】
複数の従属局との通信にポーリングリストを用いてポーリングを行う制御局であって、
前記複数の従属局の優先順位を判断する判断手段と、
前記判断手段により判断した優先順位に基づいて、無競合期間を設定する設定手段と、
前記設定手段によって設定された期間に従って前記制御局から前記複数の従属局にポーリングするポーリング手段と
を備えることを特徴とする制御局。
【請求項１４】
複数の従属局との通信にポーリングを行う制御局であって、
無競合期間に前記複数の従属局にポーリングを行った後の前記無競合期間の残り期間に、優先順位の高い従属局に対して再度ポーリングするポーリング手段を備えることを特徴とする制御局。
【手続補正２】
【補正対象書類名】明細書
【補正対象項目名】０００８
【補正方法】変更
【補正の内容】
【０００８】
本発明は、このような事情を考慮してなされたものであり、複数の従属局の優先順位に基づいて好適にポーリングすることができるようにすることを目的とする。
【手続補正３】
【補正対象書類名】明細書
【補正対象項目名】０００９
【補正方法】変更
【補正の内容】
【０００９】
本発明は、複数の従属局との通信にポーリングリストを用いてポーリングを行う制御局の制御方法であって、前記複数の従属局の優先順位を判断する判断工程と、前記判断工程において判断された優先順位に基づいた順に、前記制御局が管理する前記ポーリングリストに前記複数の従属局を登録する登録工程と、前記登録工程において前記ポーリングリストに登録した順に従って前記制御局から前記複数の従属局にポーリングするポーリング工程とを有することを特徴とする。
また、複数の従属局との通信にポーリングリストを用いてポーリングを行う制御局の制御方法であって、前記複数の従属局の優先順位を判断する判断工程と、前記判断工程において判断された優先順位に基づいて、無競合期間を設定する設定工程と、前記設定工程において設定された期間に従って前記制御局から前記複数の従属局にポーリングするポーリング工程とを有することを特徴とする。
【手続補正４】
【補正対象書類名】明細書
【補正対象項目名】００１０
【補正方法】変更
【補正の内容】
【００１０】
また、複数の従属局との通信にポーリングを行う制御局の制御方法であって、無競合期間に前記複数の従属局にポーリングを行った後の前記無競合期間の残り期間に、優先順位の高い従属局に対して再度ポーリングするポーリング工程を有することを特徴とする。
【手続補正５】
【補正対象書類名】明細書
【補正対象項目名】００１１
【補正方法】変更
【補正の内容】
【００１１】
さらに、複数の従属局との通信にポーリングリストを用いてポーリングを行う制御局であって、前記複数の従属局の優先順位を判断する判断手段と、前記判断手段によって判断された優先順位に基づいた順に、前記制御局が管理する前記ポーリングリストに前記複数の従属局を登録する登録手段と、前記登録手段によって前記ポーリングリストに登録した順に従って前記制御局から前記複数の従属局にポーリングするポーリング手段とを備えることを特徴とする。
また、複数の従属局との通信にポーリングリストを用いてポーリングを行う制御局であって、前記複数の従属局の優先順位を判断する判断手段と、前記判断手段により判断した優先順位に基づいて、無競合期間を設定する設定手段と、前記設定手段によって設定された期間に従って前記制御局から前記複数の従属局にポーリングするポーリング手段とを備えることを特徴とする。
【手続補正６】
【補正対象書類名】明細書
【補正対象項目名】００１２
【補正方法】変更
【補正の内容】
【００１２】
さらにまた、複数の従属局との通信にポーリングを行う制御局であって、無競合期間に前記複数の従属局にポーリングを行った後の前記無競合期間の残り期間に、優先順位の高い従属局に対して再度ポーリングするポーリング手段を備えることを特徴とする。
【手続補正７】
【補正対象書類名】明細書
【補正対象項目名】００１３
【補正方法】変更
【補正の内容】
【００１３】
本発明によれば、複数の従属局の優先順位に基づいて好適にポーリングすることができる。